(57)【要約】【課題】吸引口を通じて広い範囲に亘って塵埃を清掃具から除去することができる集塵装置を提供することを目的とする。【解決手段】本出願は、清掃具に付着した塵埃が吸引される吸引口を形成する吸引口形成部と、前記吸引口に前記塵埃を吸引するための吸引力を作用させ、且つ、前記吸引口から吸引された前記塵埃を集塵する集塵機構と、を備える集塵装置を開示する。前記吸引口形成部は、床面から所定の高さだけ離間した位置で側方に延びる側延縁と、前記側延縁の端部から後方に屈曲され、前記床面と前記側延縁との間に形成された開口領域の端部から後方に凹設された切欠領域をそれぞれ形成する一対の切欠縁と、を含む。前記吸引口の輪郭は、前記側延縁と前記一対の切欠縁とによって形成されている。【選択図】図１
2019088525.tif 000002
【特許請求の範囲】
【請求項１】
清掃具に付着した塵埃が吸引される吸引口を形成する吸引口形成部と、
前記吸引口に前記塵埃を吸引するための吸引力を作用させ、且つ、前記吸引口から吸引された前記塵埃を集塵する集塵機構と、を備え、
前記吸引口形成部は、床面から所定の高さだけ離間した位置で側方に延びる側延縁と、前記側延縁の端部から後方に屈曲され、前記床面と前記側延縁との間に形成された開口領域の端部から後方に凹設された切欠領域をそれぞれ形成する一対の切欠縁と、を含み、
前記吸引口の輪郭は、前記側延縁と前記一対の切欠縁とによって形成されている
集塵装置。
【請求項２】
前記所定の高さは、前記床面から２０ｍｍ以上１００ｍｍ以下の範囲の値である
請求項１に記載の集塵装置。
【請求項３】
前記塵埃を前記清掃具から掻き取るように形成された弾性掻取部を更に備え、
前記弾性掻取部は、前記側延縁及び前記一対の切欠縁のうち少なくとも一部に沿って配置されている
請求項１又は２に記載の集塵装置。
【請求項４】
前記集塵機構が収容された筐体を更に備え、
前記集塵機構は、前記吸引口を通じて吸引された前記塵埃を貯留する貯留部と、前記吸引口から前記貯留部まで前記塵埃を案内する案内管部と、を含み、
前記筐体は、前記側延縁が取り付けられる下縁を有する正面壁と、前記一対の切欠縁が取り付けられる取付縁をそれぞれ有する一対の側壁と、を有し、
前記吸引口形成部は、前記案内管部と一体的に形成される
請求項１乃至３のいずれか１項に記載の集塵装置。
【請求項５】
前記吸引口内において前記筐体から前記床面に沿って前方に突出した脚部を更に備える
請求項４に記載の集塵装置。
【請求項６】
前記脚部は前方に向けて薄くなる
請求項５に記載の集塵装置。
【請求項７】
前記脚部は弧状に湾曲した上面を有する
請求項５又は６に記載の集塵装置。
【請求項８】
前記筐体を介して前記案内管部と連結可能に形成されたアタッチメント管と、
前記アタッチメント管が挿通されるように前記筐体に形成された外開口部と、前記外開口部に差し込まれた前記アタッチメント管が連結されるように前記案内管部に形成された内開口部と、を閉じる蓋部と、を備え、
前記蓋部は、前記筐体及び前記案内管部から取り外し可能である
請求項４乃至７のいずれか１項に記載の集塵装置。
【請求項９】
前記案内管部は、前記吸引口から前記床面に沿って後方に延びる第１区間と、前記第１区間から屈曲し上方に延びる第２区間と、前記第２区間から屈曲し前記塵埃を前記貯留部へ案内する第３区間と、を含み、
前記蓋部は、前記第２区間と前記第３区間との間の屈曲部位に形成された前記内開口部を閉じる閉塞部を含み、
前記閉塞部は、前記正面壁から後方に延びる仮想的な鉛直平面上において、前記閉塞部と前記屈曲部位を形成する前記案内管部との間の境界が鈍角となるように形成された断面を有する
請求項８に記載の集塵装置。
【請求項１０】
前記案内管部は、前記吸引口から前記床面に沿って後方に延びる第１区間と、前記第１区間から屈曲し上方に延びる第２区間と、前記第２区間から屈曲し前記塵埃を前記貯留部へ案内する第３区間と、を含み、
前記蓋部は、前記第２区間と前記第３区間との間の屈曲部位に形成された前記内開口部を閉じる閉塞部を含み、
前記閉塞部は、前記正面壁から後方に延びる仮想的な鉛直平面上において、前記第２区間から前記第３区間に向けて湾曲した弧状輪郭を形成する断面を有する
請求項８に記載の集塵装置。
【請求項１１】
前記第１区間において後方に向けて狭まる流路が形成される
請求項９又は１０に記載の集塵装置。
【請求項１２】
清掃具に付着した塵埃が吸引される吸引口を形成する筐体と、
前記吸引口から吸引された前記塵埃を前記筐体内で集塵する貯留部と、前記吸引口から前記貯留部まで前記塵埃を案内する案内管部と、を有する集塵機構と、
前記案内管部に連結可能に形成されたアタッチメント管と、
前記アタッチメント管が連結されるように前記筐体に形成された外開口部と、前記外開口部に差し込まれた前記アタッチメント管が連結されるように前記案内管部に形成された内開口部と、を閉じる蓋部と、を備え、
前記蓋部は、前記筐体及び前記案内管部から取り外し可能である
集塵装置。
【発明の詳細な説明】
【技術分野】
【０００１】
本発明は、塵埃を集めるための集塵装置に関する。
【背景技術】
【０００２】
集塵装置は、清掃作業の効率化に大きく貢献する。一般的な掃除機とは異なり、使用者は、集塵装置ではなく、除塵処理を受ける清掃具（例えば、モップ）を集塵装置の周りで移動させ、モップに付着した塵埃を取り除く。
【０００３】
特許文献１は、筐体の下部に形成された吸引口だけでなく、筐体から延設されたホースからも清掃具から除塵することを可能にする集塵装置を開示する。特許文献１によれば、作業者は、筐体から延びるホースの先端を所望の位置に移動させることができる。したがって、作業者は、筐体の下部の吸引口からの吸引では除塵しにくい部位（たとえば、モップの上面）に付着した塵埃を、ホースから吸引することができる。
【先行技術文献】
【特許文献】
【０００４】
【特許文献１】特開２０１５−３９３７８号公報
【発明の概要】
【発明が解決しようとする課題】
【０００５】
特許文献１によれば、作業者がホースを利用するとき、ホースの先端を筐体から取り外す必要がある。筐体からホースの先端を取り外す作業は除塵とは直接的には関係しないので、筐体からホースの先端を取り外す作業の期間は可能な限り短縮されることが好ましい。筐体の下部の吸引口からの吸引によって、塵埃が清掃具から広範囲に亘って除去されることができるならば、作業者は筐体からホースの先端を取り外さなくてもよい。しかしながら、特許文献１の集塵装置の吸引口は、清掃具から広範囲に亘って塵埃を除去できるようには設計されていない。
【０００６】
本発明は、吸引口を通じて広い範囲に亘って塵埃を清掃具から除去することができる集塵装置を提供することを目的とする。
【課題を解決するための手段】
【０００７】
本発明の一局面に係る集塵装置は、清掃具に付着した塵埃が吸引される吸引口を形成する吸引口形成部と、前記吸引口に前記塵埃を吸引するための吸引力を作用させ、且つ、前記吸引口から吸引された前記塵埃を集塵する集塵機構と、を備える。前記吸引口形成部は、床面から所定の高さだけ離間した位置で側方に延びる側延縁と、前記側延縁の端部から後方に屈曲され、前記床面と前記側延縁との間に形成された開口領域の端部から後方に凹設された切欠領域をそれぞれ形成する一対の切欠縁と、を含む。前記吸引口の輪郭は、前記側延縁と前記一対の切欠縁とによって形成されている。
【０００８】
上記の構成によれば、一対の切欠縁それぞれは、床面と床面から所定の高さだけ離間した位置で側方に延びる側延縁との間に形成された開口領域の端部から後方に凹設された切欠領域を形成するので、清掃具は開口領域を通じて後方に差し込まれることができる。この結果、清掃具の差し込みを許容するように形成されていない吸引口を有する従来の集塵装置と比べて、上述の集塵装置は、集塵機構からの吸引力を清掃具の広い範囲に亘って作用させ、清掃具に付着した塵埃を集塵機構に集塵させることができる。
【０００９】
一対の切欠縁それぞれは開口領域の端部において切欠領域を形成しているので、作業者は吸引口に差し込まれた清掃具を側方に移動させることができる。したがって、作業者は吸引口に差し込まれた清掃具を側方に移動させ、集塵機構の吸引力を更に広い範囲に作用させることができる。
【００１０】
上記の構成に関して、前記所定の高さは、前記床面から２０ｍｍ以上１００ｍｍ以下の範囲の値であってもよい。
【００１１】
上記の構成によれば、所定の高さは床面から２０ｍｍ以上の値であるので、吸引口は、作業者が様々な清掃具を差し込むのに十分な広さを高さ方向において有することができる。所定の高さは床面から１００ｍｍ以下の範囲の値であるので、吸引口は過度に広くならず、清掃具からの除塵に貢献することなく吸引口に流入する空気の量は低いレベルに抑えられる。すなわち、集塵装置は清掃具に付着した塵埃を効率的に集塵することができる。
【００１２】
上記の構成に関して、集塵装置は、前記塵埃を前記清掃具から掻き取るように形成された弾性掻取部を更に備えてもよい。前記弾性掻取部は、前記側延縁及び前記一対の切欠縁のうち少なくとも一部に沿って配置されていてもよい。
【００１３】
上記の構成によれば、塵埃を清掃具から掻き取るように形成された弾性掻取部は、側延縁及び一対の切欠縁のうち少なくとも一部に沿って配置されているので、作業者が清掃具を吸引口に差し込むとき及び作業者が吸引口に差し込まれた清掃具を側方に移動させるとき、弾性掻取部は清掃具に付着した塵埃を掻き取ることができる。この結果、清掃具に対する塵埃の付着力は弱くなるので、塵埃は集塵機構からの吸引力によって清掃具から分離され、集塵機構に集められることができる。
【００１４】
上記の構成に関して、集塵装置は、前記集塵機構が収容された筐体を更に備えてもよい。前記集塵機構は、前記吸引口を通じて吸引された前記塵埃を貯留する貯留部と、前記吸引口から前記貯留部まで前記塵埃を案内する案内管部と、を含んでもよい。前記筐体は、前記側延縁が取り付けられる下縁を有する正面壁と、前記一対の切欠縁が取り付けられる取付縁をそれぞれ有する一対の側壁と、を有してもよい。前記吸引口形成部は、前記案内管部と一体的に形成されてもよい。
【００１５】
上記の構成によれば、集塵機構は筐体に収容されているので、作業者が作業する外部空間から筐体によって離隔される。したがって、集塵機構は筐体によって保護され、且つ、作業者は安全に除塵作業を行うことができる。
【００１６】
吸引口形成部は案内管部と一体的に形成されるので、吸引口形成部と案内管部との間の組立誤差は生じない。したがって、塵埃は、案内管部によって、吸引口から塵埃を貯留する貯留部まで円滑に案内されることができる。
【００１７】
側延縁は、筐体の正面壁の下縁に取り付けられ、且つ、一対の取付縁は、筐体の一対の側壁の取付縁にそれぞれ取り付けられるので、吸引口形成部及び案内管部は筐体に対して固定されることができる。作業者が吸引口に差し込まれた清掃具を側方に移動しても、これらは筐体に対して相対的に変位しないので、過度の負荷が吸引口形成部及びこれに連なる集塵機構に加わらない。
【００１８】
上記の構成に関して、集塵装置は、前記吸引口内において前記筐体から前記床面に沿って前方に突出した脚部を更に備えてもよい。
【００１９】
上記の構成によれば、脚部は、吸引口内において筐体から床面に沿って前方に突出しているので、筐体は前方に倒れにくい。加えて、吸引口に差し込まれた清掃具は、脚部と側延縁との間に位置することになるので、筐体が清掃具によって後方に押され、後方に倒れそうになったとき、脚部は清掃具に引っ掛かり、後方への筐体の転倒を防ぐことができる。
【００２０】
上記の構成に関して、前記脚部は前方に向けて薄くなってもよい。
【００２１】
上記の構成によれば、脚部は前方に向けて薄くなっているので、作業者は脚部の前端に清掃具を引っ掛けることなく吸引口に清掃具を差し込むことができる。
【００２２】
上記の構成に関して、前記脚部は弧状に湾曲した上面を有してもよい。
【００２３】
上記の構成によれば、脚部は弧状に湾曲した上面を有するので、作業者は脚部に邪魔されることなく吸引口に差し込まれた清掃具を側方に円滑に移動させることができる。
【００２４】
上記の構成に関して、集塵装置は、前記筐体を介して前記案内管部と連結可能に形成されたアタッチメント管と、前記アタッチメント管が挿通されるように前記筐体に形成された外開口部と、前記外開口部に差し込まれた前記アタッチメント管が連結されるように前記案内管部に形成された内開口部と、を閉じる蓋部と、を備えてもよい。前記蓋部は、前記筐体及び前記案内管部から取り外し可能であってもよい。
【００２５】
上記の構成によれば、外開口部が筐体に形成され、且つ、内開口部が案内管部に形成させるので、作業者は、アタッチメント管を筐体の外開口部に挿通させ、その後、案内管部の内開口部に差し込むことによって、アタッチメント管を案内管部に連結させることができる。集塵機構の吸引力は案内管部を通じてアタッチメント管に作用するので、作業者はアタッチメント管を用いて、塵埃を清掃具から除去することもできる。
【００２６】
蓋部は外開口部及び内開口部を閉じるので、アタッチメント管が用いられていないとき、大きな吸引力が吸引口に作用することができる。蓋部が取り外されると、外開口部及び内開口部がともに開放されるので、作業者はアタッチメント管を短時間で取り付けることができる。
【００２７】
上記の構成に関して、前記案内管部は、前記吸引口から前記床面に沿って後方に延びる第１区間と、前記第１区間から屈曲し上方に延びる第２区間と、前記第２区間から屈曲し前記塵埃を前記貯留部へ案内する第３区間と、を含んでもよい。前記蓋部は、前記第２区間と前記第３区間との間の屈曲部位に形成された前記内開口部を閉じる閉塞部を含んでもよい。前記閉塞部は、前記正面壁から後方に延びる仮想的な鉛直平面上において、前記閉塞部と前記屈曲部位を形成する前記案内管部との間の境界が鈍角となるように形成された断面を有してもよい。
【００２８】
上記の構成によれば、内開口部は、第１区間から屈曲し上方に延びる第２区間と第２区間から屈曲するとともに塵埃を貯留部へ案内する第３区間との間の屈曲部位に形成されるので、アタッチメント管は筐体の上部から延出することができる。したがって、作業者は腰を深く屈めることなくアタッチメント管を操作することができる。
【００２９】
内開口部を閉じる蓋部の閉塞部は、正面壁から後方に延びる仮想的な鉛直平面上において、閉塞部と屈曲部位を形成する案内管部との間の境界が鈍角となるように形成された断面を有しているので、案内管部に沿って流れる空気は閉塞部と案内管部との間の境界部位に生じる渦流などの発生を抑制し滞留しにくくなる。この結果、吸引口から吸引された塵埃は貯留部へ円滑に案内されることができる。
【００３０】
上記の構成に関して、前記案内管部は、前記吸引口から前記床面に沿って後方に延びる第１区間と、前記第１区間から屈曲し上方に延びる第２区間と、前記第２区間から屈曲し前記塵埃を前記貯留部へ案内する第３区間と、を含んでもよい。前記蓋部は、前記第２区間と前記第３区間との間の屈曲部位に形成された前記内開口部を閉じる閉塞部を含んでもよい。前記閉塞部は、前記正面壁から後方に延びる仮想的な鉛直平面上において、前記第２区間から前記第３区間に向けて湾曲した弧状輪郭を形成する断面を有してもよい。
【００３１】
上記の構成によれば、内開口部を閉じる蓋部の閉塞部は、正面壁から後方に延びる仮想的な鉛直平面上において、第２区間から第３区間に向けて湾曲した弧状輪郭を形成する断面を有しているので、案内管部に沿って流れる空気は閉塞部と案内管部との間の境界部位に生じる渦流などの発生を抑制し滞留しにくくなる。この結果、吸引口から吸引された塵埃は貯留部へ円滑に案内されることができる。
【００３２】
上記の構成に関して、前記第１区間において後方に向けて狭まる流路が形成されてもよい。
【００３３】
吸引口は、作業者が清掃具を吸引口に差し込むことができるように広く形成されることが好ましい一方で、第２区間の流路は吸引力が高い水準に維持されるように狭く設計されることが好ましい。上記の構成によれば、第１区間において後方に向けて狭まる流路が形成されるので、第１区間と第２区間との間の境界において形成され得る段差は過度に大きくならない。したがって、吸引口を通じて吸引された塵埃が第１区間と第２区間との間の境界に引っ掛かるリスクは低くなる。
【００３４】
本発明の他の局面に係る集塵装置は、清掃具に付着した塵埃が吸引される吸引口を形成する筐体と、前記吸引口から吸引された前記塵埃を前記筐体内で集塵する貯留部と、前記吸引口から前記貯留部まで前記塵埃を案内する案内管部と、を有する集塵機構と、前記案内管部に連結可能に形成されたアタッチメント管と、前記アタッチメント管が連結されるように前記筐体に形成された外開口部と、前記外開口部に差し込まれた前記アタッチメント管が連結されるように前記案内管部に形成された内開口部と、を閉じる蓋部と、を備える。前記蓋部は、前記筐体及び前記案内管部から取り外し可能である。
【００３５】
上記の構成によれば、外開口部が筐体に形成され、且つ、内開口部が案内管部に形成されるので、作業者は、アタッチメント管を筐体の外開口部に挿通させ、その後、案内管部の内開口部に差し込むことによって、アタッチメント管を案内管部に連結させることができる。集塵機構の吸引力は案内管部を通じてアタッチメント管に作用するので、作業者はアタッチメント管を用いて、塵埃を清掃具から除去することもできる。
【００３６】
蓋部は外開口部及び内開口部を閉じるので、アタッチメント管が用いられていないとき、大きな吸引力が吸引口に作用することができる。蓋部が取り外されると、外開口部及び内開口部がともに開放されるので、作業者はアタッチメント管を短時間で取り付けることができる。
【発明の効果】
【００３７】
上述の集塵装置は、吸引口を通じて広い範囲に亘って塵埃を清掃具から除去することができる。
【図面の簡単な説明】
【００３８】
【図１】第１実施形態の集塵装置の概略的な断面図である。
【図２】図１に示される集塵装置の概略的な斜視図である。
【図３】図１に示される案内管部の概略的な斜視図である。
【図４】図１に示される集塵装置の概略的な斜視図である。
【図５Ａ】図１に示される集塵装置の概略的な斜視図である。
【図５Ｂ】図１に示される集塵装置の概略的な斜視図である。
【図６Ａ】図１に示される集塵装置のサイレンサの概略的な展開斜視図である。
【図６Ｂ】図６Ａに示されるサイレンサの概略的な平面図である。
【図７】図１に示される集塵装置の概略的な正面図である。
【図８】第２実施形態の集塵装置の概略的な斜視図である。
【図９Ａ】第３実施形態の集塵装置の概略的な斜視図である。
【図９Ｂ】図９Ａに示される集塵装置の概略的な側面図である。
【図１０】第４実施形態の集塵装置の概略的な斜視図である。
【発明を実施するための形態】
【００３９】
＜第１実施形態＞
図１は、第１実施形態の集塵装置１００の概略的な断面図である。図２は集塵装置１００の概略的な斜視図である。図１及び図２を参照して、集塵装置１００が説明される。以下の説明で用いられる「上流」及び「下流」との用語は、集塵装置１００内で生ずる気流の流れ方向における上流及び下流を意味する。
【００４０】
集塵装置１００は、使用後の清掃具（図示せず）に付着した塵埃を吸引するために好適に利用されることができる。集塵装置１００は、吸引口形成部１１０と集塵機構１２０と筐体１３０とを備える。吸引口形成部１１０は、筐体１３０の下部に取り付けられ、清掃具に付着した塵埃が吸引される吸引口１１１を形成する。図１に示されるように、吸引口１１１は、従来の集塵装置の吸引口よりも広く、作業者は清掃具の一部を吸引口１１１に差し込むことができる。集塵機構１２０は、筐体１３０内に配置される。集塵機構１２０は、塵埃を吸引するための吸引力を吸引口１１１に作用させる。したがって、作業者が清掃具を吸引口１１１に差し込むと、集塵機構１２０が生成した吸引力は清掃具に作用し、清掃具に付着した塵埃は清掃具から分離される。清掃具から分離された塵埃は集塵機構１２０によって集められる。
【００４１】
図２に示されるように、筐体１３０は、正面壁１３１と、左前壁１３２と、右前壁１３３と、左後壁１３４と、右後壁１３５と、上壁１３６と、下壁１３７と、を含む。正面壁１３１は床面ＦＬＲ（図１を参照）から所定の高さ位置で立設されている。図１は正面壁１３１の中心を包摂し、且つ、正面壁１３１から後方に延びる仮想的な鉛直平面上における集塵装置１００の断面を表している。左前壁１３２は正面壁１３１の左縁から後方に屈曲する。右前壁１３３は正面壁１３１の右縁から後方に屈曲する。左後壁１３４は左前壁１３２の後縁から所定の角度だけ屈曲し、上述の鉛直平面上で右後壁１３５の後縁に合わさる。右後壁１３５は右前壁１３３の後縁から所定の角度だけ屈曲し、上述の鉛直平面上で左後壁１３４の後縁に合わさる。したがって、正面壁１３１、左前壁１３２、右前壁１３３、左後壁１３４及び右後壁１３５は、水平面上で略五角形状の断面輪郭を形成する。上壁１３６は、正面壁１３１、左前壁１３２、右前壁１３３、左後壁１３４及び右後壁１３５の上縁によって形成された略五角形状の開口部を閉じる。下壁１３７は、正面壁１３１、左前壁１３２、右前壁１３３、左後壁１３４及び右後壁１３５の下縁によって形成された略五角形状の開口部を閉じる。下壁１３７は、床面ＦＬＲ上に設置される。本実施形態に関して、筐体１３０は全体的に五角柱状である。しかしながら、筐体は他の形状を有してもよい。本実施形態の原理は、筐体の特定の形状に限定されない。
【００４２】
図１に示されるように、集塵機構１２０は、筐体１３０の内部空間に収容されている。集塵機構１２０は、吸引装置１２１と、貯留部１２２と、案内管部１２３と、を含む。吸引装置１２１は、塵埃を清掃具から吸引するための吸引力を生成する。吸引装置１２１が生成した吸引力は、吸引口１１１に差し込まれた清掃具に作用し、塵埃を清掃具から分離する。清掃具から分離された塵埃は、案内管部１２３によって吸引口１１１から貯留部１２２へ案内される。この結果、案内管部１２３の下流端に連結された貯留部１２２は、塵埃を貯留することができる。
【００４３】
一般的な集塵装置に用いられる吸引機構が吸引装置１２１に適用されることができる。たとえば、吸引装置１２１は、一般的なモータと、モータによって回転されるファンと、によって形成されてもよい。本実施形態に関して、モータによって回転されたファンは、下向きの気流を発生させる。下向きの気流は、左前壁１３２及び右前壁１３３それぞれに形成された多数の通気穴（図２を参照）から最終的に排出される。
【００４４】
貯留部１２２は、吸引装置１２１の上方に配置される。貯留部１２２は、集塵パック１２４と引出ケース１２７とを含む。吸引装置１２１が生成した下向きの気流は、引出ケース１２７を通じて集塵パック１２４に作用し、集塵パック１２４内で負圧環境を生成する。集塵パック１２４は、案内管部１２３の下流端に連結される。この結果、案内管部１２３によって案内された塵埃は集塵パック１２４内の負圧環境に導かれ、集塵パック１２４内に到達することができる。集塵パック１２４は、一般的な集塵装置に用いられているパック部材であってもよい。したがって、本実施形態の原理は、集塵パック１２４の特定の構造に限定されない。
【００４５】
図２に示されるように、引出ケース１２７は、正面壁１３１に形成された略矩形状の開口部に嵌め込まれた前壁１２５を含む。引出ケース１２７内に配置された集塵パック１２４を取り出そうとする作業者によって握持される取手部１２６が前壁１２５に形成されている。作業者は、取手部１２６を握持し、引出ケース１２７を前方に引き出すことができる。このとき、引出ケース１２７内の集塵パック１２４は、引出ケース１２７とともに前方に移動し、筐体１３０から露出される。その後、作業者は塵埃が溜まった集塵パック１２４を新たな集塵パック１２４と取り替えることができる。尚、引出しケース１２７は、前方に引き出す方式に限らない。引出しケース１２７の一部を軸支し、開閉する方式で集塵パック１２４を取り出してもよい。
【００４６】
図３は、案内管部１２３の概略的な斜視図である。図１乃至図３を参照して、案内管部１２３が説明される。
【００４７】
案内管部１２３は、下管部２１０と、立設管部２２０と、上管部２３０と、を含む。下管部２１０は、吸引口１１１から床面ＦＬＲに沿って後方に延びる第１区間を形成する。立設管部２２０は、第１区間から屈曲し上方に延びる第２区間を形成する。立設管部２２０は、下管部２１０の下流端から上方に延設されている。上管部２３０は、第２区間から前方に屈曲し、塵埃を集塵パック１２４へ案内する第３区間を形成する。上管部２３０は、立設管部２２０の上端から上壁１３６に沿って前方に延び、下方に屈曲されている。集塵パック１２４は下方に屈曲した上管部２３０の下流端に連結されている。
【００４８】
図３は、下管部２１０の上流端と一体的に形成された吸引口形成部１１０を示す。吸引口形成部１１０は、側延縁１１２と一対の切欠縁１１３とを含む。吸引口１１１の輪郭は、側延縁１１２と一対の切欠縁１１３とによって形成される。
【００４９】
側延縁１１２は、床面ＦＬＲから所定の高さだけ上方の離れた位置で側方に延設されている。側延縁１１２は、正面壁１３１の下縁（すなわち、床面ＦＬＲに対向する縁面）に取り付けられ、左前壁１３２と右前壁１３３との間で延びる。この結果、清掃具（図示せず）の差し込みを許容するように前方に開口した開口領域が床面ＦＬＲと側延縁１１２との間に形成される。
【００５０】
一対の切欠縁１１３それぞれは、側延縁１１２の端部（すなわち、左端又は右端）から後方に屈曲され、且つ、床面ＦＬＲに向けて湾曲されている。この結果、開口領域から後方に凹設されるとともに側方に開口した切欠領域が形成される。左前壁１３２及び右前壁１３３それぞれの正面縁の下部は、一対の切欠縁１１３それぞれの湾曲に対応して湾曲された取付縁によって形成される。一対の切欠縁１１３は、左前壁１３２及び右前壁１３３の取付縁にそれぞれ固定される。本実施形態に関して、一対の側壁は、左前壁１３２及び右前壁１３３によって例示される。
【００５１】
後方に凹設された切欠領域が形成されているので、作業者は、筐体１３０より幅広の清掃具を前方に開口した開口領域に差し込み、後方に押し込むことができる。清掃具は広い範囲に亘って吸引口１１１に差し込まれるので、吸引装置１２１が生成した吸引力は清掃具の広い範囲に作用することができる。上述の如く、一対の切欠縁１１３によって形成された切欠領域は側方に開口しているので、作業者は吸引口１１１に差し込まれた清掃具を側方（すなわち、左方又は右方）に移動させることができる。この結果、吸引装置１２１が生成した吸引力は更に清掃具の広い範囲に作用することができる。
【００５２】
図３は、床面ＦＬＲから側延縁１１２までの距離を記号「Ｈ」で示す。距離「Ｈ」の値は、２０ｍｍ以上１００ｍｍ以下の範囲に設定されることが好ましい。距離「Ｈ」が２０ｍｍ以上であるならば、多様な清掃具が吸引口１１１に差し込まれることができる一方で、距離「Ｈ」が２０ｍｍ未満であるならば、清掃具が吸引口１１１で引っ掛かり、集塵装置１００が転倒するリスクが高くなる。距離「Ｈ」が１００ｍｍ以下であるならば、吸引口１１１の大部分は吸引口１１１に差し込まれた清掃具によって塞がれるので、強い吸引力が清掃具に作用することができる。距離「Ｈ」が１００ｍｍを超えると、吸引口１１１は、清掃具の差込部分よりも過度に大きくなり、清掃具からの塵埃の分離に貢献しない多量の空気が吸引されることになる。本発明者等の研究によれば、距離「Ｈ」は４０ｍｍ〜６０ｍｍの範囲の値に設定されることが最適である。
【００５３】
＜他の特徴＞
設計者は、上述の集塵装置１００に様々な特徴を与えることができる。以下に説明される特徴は、上述の集塵装置１００の設計原理を何ら限定しない。
【００５４】
（アタッチメント管）
上述の集塵装置１００は、作業者が吸引口１１１に清掃具を差し込むことを許容するので、塵埃を広い範囲に亘って清掃具から吸引口１１１を通じて吸引することができる。しかしながら、集塵装置１００は、筐体１３０から外方に延設された追加的な管部材を有してもよい。作業者は、追加的な管部材を用いて、吸引口１１１に差し込みにくい部位に付着した塵埃や集塵装置１００の周囲に飛散した塵埃を吸引してもよい。
【００５５】
図４は、集塵装置１００の概略的な斜視図である。図１乃至図４を参照して、集塵装置１００が更に説明される。
【００５６】
図２及び図４に示されるように、集塵装置１００は、筐体１３０の上壁１３６に形成された外開口部１３８を閉じる蓋部１４０を更に備える。図２に示される蓋部１４０は、外開口部１３８を閉じている。図４に示される蓋部１４０は上壁１３６から取り外されている。
【００５７】
図４に示されるように、蓋部１４０は、略扇形状の板部１４１と、板部１４１から下方に突出する突出部１４２と、を含む。蓋部１４０が外開口部１３８を閉じているとき（図２を参照）、突出部１４２は筐体１３０内に押し込まれる一方で（図１を参照）、板部１４１は上壁１３６上に現れる（図２を参照）。図３は、立設管部２２０の上端において上方に開口された内開口部２２１を示す。内開口部２２１は、立設管部２２０によって形成された第２区間と上管部２３０によって形成された第３区間との間の屈曲部位に形成されている。図１に示されるように、突出部１４２は、内開口部２２１に嵌め込まれる。したがって、蓋部１４０は、外開口部１３８及び内開口部２２１を閉じることができる。蓋部１４０は、嵌め込むことで内開口部２２１を閉じる構成で説明しているが、筐体１３０の一部に軸支して開閉できる構成にしてもよい。
【００５８】
図４に示されるように、板部１４１及び突出部１４２は、２つの凹部と２つの凹部との間で立設された突条１４３を形成する。作業者は、２つの凹部に指を差し込み、突条１４３を摘むことができる。その後、作業者は、蓋部１４０を持ち上げ、筐体１３０及び案内管部１２３から取り外すことができる。この結果、外開口部１３８及び内開口部２２１は開放される。
【００５９】
図５Ａ及び図５Ｂは、集塵装置１００の概略的な斜視図である。図１、図３、図５Ａ及び図５Ｂを参照して、集塵装置１００が更に説明される。
【００６０】
図５Ａ及び図５Ｂに示されるように、集塵装置１００は、上述の追加的な管部材として、アタッチメント管１５０を更に備える。アタッチメント管１５０は、案内管部１２３（図１を参照）に連結され、筐体１３０の上壁１３６から延出される（図５Ｂを参照）。作業者は、アタッチメント管１５０を用いて、吸引口１１１に差し込みにくい部位に付着した塵埃や集塵装置１００の周囲に飛散した塵埃を吸引することができる。
【００６１】
図５Ａに示されるように、アタッチメント管１５０は、基端箱１５１と先端筒１５２と蛇腹管１５３とを含む。基端箱１５１は、外開口部１３８を通じて、案内管部１２３の内開口部２２１（図３を参照）に差し込まれる。蛇腹管１５３は基端箱１５１と先端筒１５２との間で延設される。蛇腹管１５３は作業者の操作に応じて屈曲されることができるので、作業者は先端筒１５２を所望の位置へ移動させることができる。
【００６２】
基端箱１５１は、底壁部１５４と底壁部１５４から上方に立設された周壁部１５５とを含む。基端箱１５１が内開口部２２１に差し込まれると、底壁部１５４は、立設管部２２０（図１を参照）と上管部２３０（図１を参照）との間の接続部位の上流で立設管部２２０を閉じる。したがって、アタッチメント管１５０が案内管部１２３に取り付けられている間、吸引装置１２１（図１を参照）が生成した吸引力は吸引口１１１に作用しない。上管部２３０に向けて開口した開口部１５６が周壁部１５５に形成される。したがって、アタッチメント管１５０が案内管部１２３に取り付けられている間、吸引装置１２１が生成した吸引力は上管部２３０及び周壁部１５５の開口部１５６を通じてアタッチメント管１５０に作用することができる。
【００６３】
蛇腹管１５３の基端は基端箱１５１の内部空間に連通している。したがって、吸引装置１２１が生成した吸引力は基端箱１５１及び蛇腹管１５３を通じて蛇腹管１５３の先端に取り付けられた先端筒１５２に作用することができる。図５Ａ及び図５Ｂに示されるように、先端筒１５２は開口部１５７を形成する。したがって、作業者は、先端筒１５２の開口部１５７を所望の位置に接近させ、塵埃を先端筒１５２の開口部１５７を通じて吸引することができる。塵埃は、先端筒１５２、蛇腹管１５３、基端箱１５１及び上管部２３０を順次通過し、集塵パック１２４（図１を参照）に貯留されることができる。
【００６４】
図１に示されるように、蓋部１４０の突出部１４２は、内開口部２２１（図３を参照）を閉じる閉塞部１４４を含む。図１は、閉塞部１４４と案内管部１２３との間の境界において形成される２つの角度「θ１」，「θ２」を示す。閉塞部１４４は、角度「θ１」，「θ２」がともに鈍角（９０°＜θ１，θ２＜１８０°）となるように形成された断面を有する。閉塞部１４４と案内管部１２３との間の境界において鈍角「θ１」，「θ２」が形成されるので、吸引装置１２１によって生成された気流は、閉塞部１４４と案内管部１２３との間の境界で滞留することなく、立設管部２２０から上管部２３０に円滑に流入することができる。この結果、気流とともに流れる塵埃が、閉塞部１４４と案内管部１２３との間の境界に引っ掛かるリスクは低減される。
【００６５】
図１の実線で表されるように閉塞部１４４は正面壁１３１から後方に延びる仮想的な鉛直平面上で直線的な輪郭を描く。しかしながら、図１の点線で示されるように、閉塞部１４４は、正面壁１３１から後方に延びる仮想的な鉛直平面上で立設管部２２０によって形成される第２区間から上管部２３０によって形成される第３区間に向けて緩やかに湾曲した弧状輪郭を描く断面を有してもよい。
【００６６】
（吸引口形成部と案内管部との接続部位）
図３に示されるように、案内管部１２３の下管部２１０は、上流端部２１１と、中間部２１２と、下流端部２１３と、を含む。吸引口１１１を形成する吸引口形成部１１０は上流端部２１１に一体化される。立設管部２２０は下流端部２１３に連結される。中間部２１２は上流端部２１１から後方に延び下流端部２１３に連なる。上述の如く、吸引口１１１は作業者が清掃具を差し込むのに十分な広さに形成される。一方、立設管部２２０の内径は、重力に抗して塵埃を上方に引き込むのに十分な吸引力が維持されるように定められる。下管部２１０の上流端部２１１及び中間部２１２は、段差が下流端部２１３と立設管部２２０との境界の内壁面に形成されないように、流路が徐々に狭まるように形成される。段差が下流端部２１３と立設管部２２０との境界の内壁面に形成されないので、塵埃は下流端部２１３と立設管部２２０との境界に引っ掛かることなく、立設管部２２０に流入することができる。
【００６７】
上流端部２１１は、上壁３１１と、下壁３１２と、一対の側壁３１３と、を含む。上壁３１１と下壁３１２との間で立設された一対の側壁３１３は、吸引口形成部１１０の一対の切欠縁１１３から後方にそれぞれ屈曲される。一対の側壁３１３の間隔は、一対の切欠縁１１３との接続部位から中間部２１２との接続部位に亘って略一定である。上壁３１１は、水平壁部３１４と傾斜壁部３１５とを含む。水平壁部３１４は吸引口形成部１１０の側延縁１１２から後方に延び、床面ＦＬＲと略平行である。傾斜壁部３１５は水平壁部３１４から下方に屈曲し、中間部２１２との接続部位まで傾斜した傾斜内壁を形成する。図１に示されるように、上壁３１１の下方に位置する下壁３１２は、中間部２１２との連結部位に向けて上方に傾斜した傾斜内壁を形成する。したがって、上流端部２１１は鉛直方向において狭まる流路を形成する。図３に示されるように、上流端部とは異なり、中間部２１２は幅方向において後方に向けて狭まる流路を形成する。この結果、案内管部１２３の下管部２１０によって形成される第１区間において、塵埃を案内する流路は鉛直方向及び幅方向において徐々に狭くなる。この結果、中間部２１２に対して下流に延びる下流端部２１３は、立設管部２２０と同等の太さを有することができ、下流端部２１３と立設管部２２０との間の接続部位において大きな段差を形成することなく立設管部２２０に連結されることができる。この結果、吸引口１１１から吸引された塵埃は、下流端部２１３と立設管部２２０との間の接続部位を円滑に通過することができる。
【００６８】
（サイレンサ）
図３に示されるように、集塵装置１００は下管部２１０の中間部２１２の上面から上方に膨出したサイレンサ１６０を備える。サイレンサ１６０は案内管部１２３内で発生した気流によって引き起こされるノイズのレベルを低減する。
【００６９】
図６Ａは、サイレンサ１６０の概略的な展開斜視図である。図６Ｂは、サイレンサ１６０の概略的な平面図である。図１、図６Ａ及び図６Ｂを参照して、サイレンサ１６０が説明される。
【００７０】
図６Ａに示されるように、サイレンサ１６０は、立設壁１６１と、蓋部１６２と、吸音マット１６３と、を備える。下管部２１０の中間部２１２の上壁は、多数の貫通穴が形成された略台形状の多孔領域２１４を含む。立設壁１６１は、多孔領域２１４を取り囲むように中間部２１２の上壁上で立設された略台形筒状の部位である。吸音マット１６３は立設壁１６１によって囲まれた空間に嵌め込まれ、多孔領域２１４上に載置される。蓋部１６２は立設壁１６１に被せられる。この結果、吸音マット１６３は、多孔領域２１４、立設壁１６１及び蓋部１６２によって囲まれた空間に閉じ込められることができる。
【００７１】
図６Ｂに示されるように、多孔領域２１４の多数の貫通穴は千鳥パターンを形成する。貫通穴の大きさ、貫通穴の数や貫通穴の形成パターンは高い吸音効果が得られるように決定される。一般的に、多数の貫通穴の総面積が大きいならば、多くのノイズ成分は吸音マット１６３に到達しやすくなり、ノイズレベルが大幅に低減される。吸音マット１６３は、ウレタンフォームや高い吸音効果を発揮する他の材料から形成されることができる。
【００７２】
（弾性掻取部）
図７は、集塵装置１００の概略的な正面図である。図１及び図７を参照して、集塵装置１００が説明される。
【００７３】
塵埃は、清掃具に強い力で付着していることもある。この場合、吸引装置１２１が生成した吸引力だけでは、塵埃を清掃具から分離することが困難なこともある。集塵装置１００は、塵埃と清掃具との間の付着力を弱めるための弾性掻取部１７０を備えることができる。弾性掻取部１７０は、ゴム、シリコン樹脂、エラストマーなどといった弾性部材から形成された櫛歯状又は波形の薄片である。弾性掻取部１７０は、吸引口形成部１１０の側延縁１１２の下面に取り付けられ、側延縁１１２から下方に突出する。
【００７４】
上述の如く、作業者は清掃具を吸引口形成部１１０によって形成された吸引口１１１に差し込むことができる。作業者が清掃具を側延縁１１２と床面ＦＬＲとの間の開口領域から後方に押し込むと、弾性掻取部１７０は、清掃具の差し込み部分の上面に擦れ、塵埃を掻き出すことができる。この結果、弾性掻取部１７０によって掻き出された塵埃と清掃具との間の付着力は弱くなり、塵埃は、吸引口１１１に作用する吸引力によって清掃具から分離されることができる。作業者は、吸引口１１１内で清掃具を上下に動かしたり、左右に動かしたりし、弾性掻取部１７０に清掃具を擦りつけることもできる。この結果、清掃具に付着した塵埃は、清掃具から効果的に掻き取られることができる。
【００７５】
＜第２実施形態＞
図８は、第２実施形態の集塵装置１００Ａの概略的な斜視図である。図１及び図８を参照して、集塵装置１００Ａが説明される。
【００７６】
集塵装置１００Ａは、追加的な弾性掻取部１７０Ａ，１７０Ｂを備える点においてのみ、第１実施形態の集塵装置１００（図１を参照）とは相違する。したがって、第１実施形態の説明は、弾性掻取部１７０Ａ，１７０Ｂ以外の部位に援用される。
【００７７】
弾性掻取部１７０Ａ，１７０Ｂは、吸引口形成部１１０の切欠縁１１３に取り付けられている。吸引口形成部１１０の側延縁１１２に取り付けられた弾性掻取部１７０と同様に、弾性掻取部１７０Ａ，１７０Ｂは、ゴム、シリコン樹脂、エラストマーなどといった弾性部材から形成された櫛歯状又は波形の薄片である。
【００７８】
弾性掻取部１７０Ａは、切欠縁１１３の前端に取り付けられ、切欠縁１１３から下方に突出している。切欠縁１１３から下方に突出する弾性掻取部１７０Ａは後方に向けて延びる複数の櫛歯形状又は波形を形成する。弾性掻取部１７０Ｂは、切欠縁１１３の後端に取り付けられ、前方に突出している。切欠縁１１３から前方に突出する弾性掻取部１７０Ｂは鉛直方向に延びる複数の櫛歯形状又は波形を形成する。
【００７９】
弾性掻取部１７０Ａは、作業者が清掃具を吸引口１１１内で側方に移動させるとき、塵埃を効果的に掻き取ることができる。加えて、切欠縁１１３から下方に突出する弾性掻取部１７０Ａは、作業者が清掃具を後方に押し込むときにも塵埃を効果的に掻き取ることができる。切欠縁１１３から前方に突出する弾性掻取部１７０Ｂは、作業者が清掃具を吸引口１１１内で鉛直方向に動かすときにも塵埃を効果的に掻き取ることができる。
【００８０】
＜第３実施形態＞
図９Ａは、第３実施形態の集塵装置１００Ｂの概略的な斜視図である。図９Ｂは、集塵装置１００Ｂの概略的な側面図である。図１、図９Ａ及び図９Ｂを参照して集塵装置１００Ｂが説明される。
【００８１】
集塵装置１００Ｂは、一対の脚部１８０を備える点においてのみ、第１実施形態の集塵装置１００（図１を参照）とは相違する。したがって、第１実施形態の説明は、脚部１８０以外の部位に援用される。
【００８２】
左側の脚部１８０は、吸引口１１１内において、左前壁１３２の前縁の下端から床面ＦＬＲに沿って前方に突出する。右側の脚部１８０は、吸引口１１１内において、右前壁１３３の前縁の下端から床面ＦＬＲに沿って前方に突出する。したがって、正面壁１３１を下方に変位させるような力が筐体１３０に作用しても、集塵装置１００Ｂは転倒しにくくなる。作業者が清掃具を吸引口１１１に差し込むと、清掃具は脚部１８０と正面壁１３１との間に位置する。作業者が吸引口１１１内で清掃具を動かし、集塵装置１００Ｂを側方又は後方に転倒させそうになったとき、一対の脚部１８０のうち少なくとも一方は吸引口１１１内の清掃具の下面に引っ掛かり集塵装置１００Ｂの転倒を防ぐことができる。
【００８３】
図９Ａに示されるように、脚部１８０は、正面壁１３１に平行な仮想的な鉛直平面上で弧状に湾曲した上面を有する。したがって、作業者が吸引口１１１内で清掃具を側方に移動させるとき、清掃具は脚部１８０に引っ掛かることなく脚部１８０上で円滑に移動することができる。
【００８４】
図９Ｂに示されるように、脚部１８０は前方に向けて薄くなる。したがって、作業者が清掃具を吸引口１１１に後方に押し込むとき、脚部１８０は清掃具に引っ掛かりにくくなる。したがって、作業者は、脚部１８０に妨げられることなく、清掃具を吸引口１１１に配置することができる。
【００８５】
＜第４実施形態＞
図１０は、第４実施形態の集塵装置１００Ｃの概略的な斜視図である。図１、図９Ａ及び図１０を参照して集塵装置１００Ｃが説明される。
【００８６】
第１実施形態の集塵装置１００（図１を参照）とは異なり、集塵装置１００Ｃの吸引口１１１Ｃは、側方に開口した切欠領域を有していない。すなわち、集塵装置１００Ｃの左前壁１３２Ｃ及び右前壁１３３Ｃは矩形状であり、これらの下縁は床面ＦＬＲに全体的に接触している。したがって、集塵装置１００Ｃは、第３実施形態の集塵装置１００Ｂ（図９Ａを参照）と同等の安定性を有することができる。
【００８７】
集塵装置１００Ｃの吸引口１１１Ｃは、側方に開口していないけれども、高さ方向において広いので、作業者は清掃具を吸引口１１１Ｃに差し込むことができる。集塵装置１００Ｃは、幅の狭い清掃具からの除塵に専ら用いられてもよいし、作業者が幅の広い清掃具を吸引口１１１Ｃに差し込むことができるように幅広に形成されてもよい。
【００８８】
案内管部１２３Ｃ（下管部２１０Ｃ）の上流端の形状は、吸引口１１１Ｃの形状に適合するように設計される。下管部２１０Ｃ、左前壁１３２Ｃ及び右前壁１３３Ｃ以外の部位は、第１実施形態の集塵装置１００と同一である。したがって、第１実施形態の説明は、下管部２１０Ｃ、左前壁１３２Ｃ及び右前壁１３３Ｃ以外の部位に援用される。
【００８９】
上述の実施形態に関して、吸引口形成部１１０は、案内管部１２３と一体的に形成されている。しかしながら、吸引口形成部は、正面壁１３１の下縁及び左前壁１３２及び右前壁１３３の前縁の下部（すなわち、側方に開口した切込領域を形成するように後方に湾曲した縁部）であってもよい。
【００９０】
上述の実施形態に関して、アタッチメント管１５０が取り付けられるように集塵装置１００，１００Ａ，１００Ｂ，１００Ｃは設計されている。しかしながら、集塵装置はアタッチメント管１５０が取り付けられないように設計されてもよい。
【産業上の利用可能性】
【００９１】
本実施形態の原理は、清掃作業に用いられる装置に好適に利用される。
【符号の説明】
【００９２】
１００，１００Ａ，１００Ｂ，１００Ｃ・・・・・集塵装置
１１０・・・・・・・・・・・・・・・・・・・・吸引口形成部
１１１，１１１Ｃ・・・・・・・・・・・・・・・吸引口
１１２・・・・・・・・・・・・・・・・・・・・側延縁
１１３・・・・・・・・・・・・・・・・・・・・切欠縁
１２０・・・・・・・・・・・・・・・・・・・・集塵機構
１２２・・・・・・・・・・・・・・・・・・・・貯留部
１２３，１２３Ｃ・・・・・・・・・・・・・・・案内管部
１３０・・・・・・・・・・・・・・・・・・・・筐体
１３１・・・・・・・・・・・・・・・・・・・・正面壁
１３２，１３２Ｃ，・・・・・・・・・・・・・・左前壁（側壁）
１３３，１３３Ｃ・・・・・・・・・・・・・・・右前壁（側壁）
１３８・・・・・・・・・・・・・・・・・・・・外開口部
１４０・・・・・・・・・・・・・・・・・・・・蓋部
１４４・・・・・・・・・・・・・・・・・・・・閉塞部
１５０・・・・・・・・・・・・・・・・・・・・アタッチメント管
１７０，１７０Ａ，１７０Ｂ・・・・・・・・・・弾性掻取部
１８０・・・・・・・・・・・・・・・・・・・・脚部
２２１・・・・・・・・・・・・・・・・・・・・内開口部
ＦＬＲ・・・・・・・・・・・・・・・・・・・・床面
【図１】
2019088525.tif 000003
【図２】
2019088525.tif 000004
【図３】
2019088525.tif 000005
【図４】
2019088525.tif 000006
【図５Ａ】
2019088525.tif 000007
【図５Ｂ】
2019088525.tif 000008
【図６Ａ】
2019088525.tif 000009
【図６Ｂ】
2019088525.tif 000010
【図７】
2019088525.tif 000011
【図８】
2019088525.tif 000012
【図９Ａ】
2019088525.tif 000013
【図９Ｂ】
2019088525.tif 000014
【図１０】
2019088525.tif 000015